(57)【要約】      （修正有）【課題】電子ペーパーに格納されたドキュメントのページ毎にセキュリティ情報を設定し、また、ページ毎に複写可否の判定を行うことができる画像処理装置を提供する。【解決手段】スキャナと、電子ペーパーと接続するインタフェースを備える画像処理装置のＣＰＵは以下機能を有する。即ち、ＣＰＵは、電子ペーパーに対して表示しているページのセキュリティ情報を要求してセキュリティ情報を取得する。また、ＣＰＵは、セキュリティ情報に基づいてスキャナのスキャンの可否を判定する。電子ペーパーの複数のページを読み取る場合に、ＣＰＵは、改ページの表示を要求すると共に、新たに表示されたページのセキュリティ情報を要求し、新たに表示されたページのセキュリティ情報に基づいてスキャナのスキャンの可否を判定する。【選択図】図４
2010288187.tif 000002
【特許請求の範囲】
【請求項１】
スキャナと、表示媒体と通信するためのインタフェースとを備える画像処理装置において、
前記表示媒体に対して表示しているページのセキュリティ情報を要求する要求手段と、
前記要求手段の要求により前記表示媒体から送信された前記セキュリティ情報を取得する取得手段と、
前記取得手段により取得された前記セキュリティ情報に基づいて前記スキャナのスキャンの可否を判定する判定手段とを備え、
前記表示媒体の複数のページを読み取る場合に、前記要求手段は、改ページを要求すると共に、新たに表示されたページのセキュリティ情報を要求し、前記判定手段は、前記新たに表示されたページのセキュリティ情報に基づいて前記スキャナのスキャンの可否を判定することを特徴とする画像処理装置。
【請求項２】
スキャナと、表示媒体と通信するためのインタフェースとを備える画像処理装置において、
前記表示媒体に表示されている画像に関するセキュリティ情報を取得する取得手段と、
前記取得手段により取得された前記セキュリティ情報に基づき、前記スキャナのスキャンの可否を判定する判定手段とを備え、
前記取得手段は、前記表示媒体に表示されている画像を切り替える毎に前記セキュリティ情報を取得し、前記判定手段は、前記スキャンの可否を判定することを特徴とする画像処理装置。
【請求項３】
スキャナと、表示媒体と通信するためのインタフェースとを備える画像処理装置において、
前記スキャナでスキャンした前記表示媒体の画像に対してセキュリティ設定を行う設定手段と、
前記スキャナでスキャンした前記表示媒体の画像及び前記設定手段でセキュリティ設定したセキュリティ情報を前記表示媒体に格納する格納手段と、
を備えることを特徴とする画像処理装置。
【請求項４】
スキャナと、表示媒体と通信するためのインタフェースとを備える画像処理装置において、
自装置の記憶媒体に記憶されたセキュリティ情報を取得するセキュリティ情報取得手段と、
前記表示媒体の記憶媒体に記憶された画像のドキュメント情報を取得するドキュメント情報取得手段と、
前記セキュリティ情報と前記ドキュメント情報に基づき、前記スキャナのスキャンの可否を判定する判定手段とを備え、
前記ドキュメント情報取得手段は、前記表示媒体に表示されている画像を切り替える毎に前記ドキュメント情報を取得し、前記判定手段は、前記スキャナのスキャンの可否を判定することを特徴とする画像処理装置。
【請求項５】
前記セキュリティ情報取得手段は、自装置の前記記憶媒体に格納された前記セキュリティ情報をロードする手段であることを特徴とする請求項４記載の画像処理装置。
【請求項６】
前記セキュリティ情報取得手段は、他の画像処理装置の記憶媒体に格納された前記セキュリティ情報を取得する手段であることを特徴とする請求項４記載の画像処理装置。
【請求項７】
前記セキュリティ情報取得手段は、サーバの記憶媒体に格納された前記セキュリティ情報を取得する手段であることを特徴とする請求項４記載の画像処理装置。
【請求項８】
スキャナと、表示媒体と通信するためのインタフェースとを備える画像処理装置において、
前記スキャナでスキャンした画像に対してセキュリティ設定を行う設定手段と、
前記設定手段で設定された値に基づき、セキュリティ情報を生成するセキュリティ情報生成手段と、
前記スキャナでスキャンした画像に関するドキュメント情報を生成するドキュメント情報生成手段と、
前記スキャナのスキャン完了時に、前記表示媒体の記憶媒体に、前記スキャナでスキャンした画像と前記ドキュメント情報を格納する第１の格納手段と、
前記スキャナのスキャン完了時に、自装置の記憶媒体に前記セキュリティ情報を格納する第２の格納手段と、
を備えることを特徴とする画像処理装置。
【請求項９】
外部機器に前記セキュリティ情報と前記ドキュメント情報を要求する要求手段を更に備えることを特徴とする請求項８記載の画像処理装置。
【請求項１０】
パターン画像を生成する生成手段と、
スキャン画像と、前記パターン画像を合成する合成手段とを更に備え、
前記セキュリティ情報と前記ドキュメント情報に基づいた前記スキャナのスキャンの可否の判定の結果、認証を経てスキャン可と判定された場合に、前記スキャン画像と前記パターン画像とを合成することを特徴とする請求項２乃至７のいずれかに記載の画像処理装置。
【請求項１１】
前記セキュリティ情報が複数取得された場合に、そのうちのひとつを前記判定手段の判定結果として適用することを特徴とする請求項２、４、５、６、７、及び１０のいずれかに記載の画像処理装置。
【請求項１２】
スキャナと、表示媒体と通信するためのインタフェースとを備える画像処理装置の制御方法において、
前記表示媒体に対して表示しているページのセキュリティ情報を要求する要求ステップと、
前記要求ステップの要求により前記表示媒体から送信された前記セキュリティ情報を取得する取得ステップと、
前記取得ステップにより取得された前記セキュリティ情報に基づいて前記スキャナのスキャンの可否を判定する判定ステップとを備え、
前記表示媒体の複数のページを読み取る場合に、前記要求ステップは、改ページの表示を要求すると共に、新たに表示されたページのセキュリティ情報を要求し、前記判定ステップは、前記新たに表示されたページのセキュリティ情報に基づいて前記スキャナのスキャンの可否を判定することを特徴とする画像処理装置の制御方法。
【請求項１３】
スキャナと、表示媒体と通信するためのインタフェースとを備える画像処理装置の制御方法において、
前記表示媒体に表示されている画像に関するセキュリティ情報を取得する取得ステップと、
前記取得ステップにより取得された前記セキュリティ情報に基づき、前記スキャナのスキャンの可否を判定する判定ステップとを備え、
前記取得ステップは、前記表示媒体に表示されている画像を切り替える毎に前記セキュリティ情報を取得し、前記判定ステップは、前記スキャンの可否を判定することを特徴とする画像処理装置の制御方法。
【請求項１４】
スキャナと、表示媒体と通信するためのインタフェースとを備える画像処理装置の制御方法において、
前記スキャナでスキャンした前記表示媒体の画像に対してセキュリティ設定を行う設定ステップと、
前記スキャナでスキャンした前記表示媒体の画像及び前記設定ステップでセキュリティ設定したセキュリティ情報を前記表示媒体に格納する格納ステップと、
を備えることを特徴とする画像処理装置の制御方法。
【請求項１５】
スキャナと、表示媒体と通信するためのインタフェースとを備える画像処理装置の制御方法において、
自装置の記憶媒体に記憶されたセキュリティ情報を取得するセキュリティ情報取得ステップと、
前記表示媒体の記憶媒体に記憶された画像のドキュメント情報を取得するドキュメント情報取得ステップと、
前記セキュリティ情報と前記ドキュメント情報に基づき、前記スキャナのスキャンの可否を判定する判定ステップとを備え、
前記ドキュメント情報取得ステップは、前記表示媒体に表示されている画像を切り替える毎に前記ドキュメント情報を取得し、前記判定ステップは、前記スキャナのスキャンの可否を判定することを特徴とする画像処理装置の制御方法。
【請求項１６】
スキャナと、表示媒体と通信するためのインタフェースとを備える画像処理装置の制御方法において、
前記スキャナでスキャンした画像に対してセキュリティ設定を行う設定ステップと、
前記設定ステップで設定された値に基づき、セキュリティ情報を生成するセキュリティ情報生成ステップと、
前記スキャナでスキャンした画像に関するドキュメント情報を生成するドキュメント情報生成ステップと、
前記スキャナのスキャン完了時に、前記表示媒体の記憶媒体に、前記スキャナでスキャンした画像と前記ドキュメント情報を格納する第１の格納ステップと、
前記スキャナのスキャン完了時に、自装置の記憶媒体に前記セキュリティ情報を格納する第２の格納ステップと、
を備えることを特徴とする画像処理装置の制御方法。
【請求項１７】
スキャナと、表示媒体と通信するためのインタフェースとを備える画像処理装置の制御方法をコンピュータに実行させるプログラムにおいて、
前記画像処理装置の制御方法は、
前記表示媒体に対して表示しているページのセキュリティ情報を要求する要求ステップと、
前記要求ステップの要求により前記表示媒体から送信された前記セキュリティ情報を取得する取得ステップと、
前記取得ステップにより取得された前記セキュリティ情報に基づいて前記スキャナのスキャンの可否を判定する判定ステップとを備え、
前記表示媒体の複数のページを読み取る場合に、前記要求ステップは、改ページの表示を要求すると共に、新たに表示されたページのセキュリティ情報を要求し、前記判定ステップは、前記新たに表示されたページのセキュリティ情報に基づいて前記スキャナのスキャンの可否を判定することを特徴とするプログラム。
【請求項１８】
スキャナと、表示媒体と通信するためのインタフェースとを備える画像処理装置の制御方法をコンピュータに実行させるプログラムにおいて、
前記画像処理装置の制御方法は、
前記表示媒体に表示されている画像に関するセキュリティ情報を取得する取得ステップと、
前記取得ステップにより取得された前記セキュリティ情報に基づき、前記スキャナのスキャンの可否を判定する判定ステップとを備え、
前記取得ステップは、前記表示媒体に表示されている画像を切り替える毎に前記セキュリティ情報を取得し、前記判定ステップは、前記スキャンの可否を判定することを特徴とするプログラム。
【請求項１９】
スキャナと、表示媒体と通信するためのインタフェースとを備える画像処理装置の制御方法をコンピュータに実行させるプログラムにおいて、
前記画像処理装置の制御方法は、
前記スキャナでスキャンした前記表示媒体の画像に対してセキュリティ設定を行う設定ステップと、
前記スキャナでスキャンした前記表示媒体の画像及び前記設定ステップでセキュリティ設定したセキュリティ情報を前記表示媒体に格納する格納ステップと、
を備えることを特徴とするプログラム。
【請求項２０】
スキャナと、表示媒体と通信するためのインタフェースとを備える画像処理装置の制御方法をコンピュータに実行させるプログラムにおいて、
前記画像処理装置の制御方法は、
自装置の記憶媒体に記憶されたセキュリティ情報を取得するセキュリティ情報取得ステップと、
前記表示媒体の記憶媒体に記憶された画像のドキュメント情報を取得するドキュメント情報取得ステップと、
前記セキュリティ情報と前記ドキュメント情報に基づき、前記スキャナのスキャンの可否を判定する判定ステップとを備え、
前記ドキュメント情報取得ステップは、前記表示媒体に表示されている画像を切り替える毎に前記ドキュメント情報を取得し、前記判定ステップは、前記スキャナのスキャンの可否を判定することを特徴とするプログラム。
【請求項２１】
スキャナと、表示媒体と通信するためのインタフェースとを備える画像処理装置の制御方法をコンピュータに実行させるプログラムにおいて、
前記画像処理装置の制御方法は、
前記スキャナでスキャンした画像に対してセキュリティ設定を行う設定ステップと、
前記設定ステップで設定された値に基づき、セキュリティ情報を生成するセキュリティ情報生成ステップと、
前記スキャナでスキャンした画像に関するドキュメント情報を生成するドキュメント情報生成ステップと、
前記スキャナのスキャン完了時に、前記表示媒体の記憶媒体に、前記スキャナでスキャンした画像と前記ドキュメント情報を格納する第１の格納ステップと、
前記スキャナのスキャン完了時に、自装置の記憶媒体に前記セキュリティ情報を格納する第２の格納ステップと、
を備えることを特徴とするプログラム。
【発明の詳細な説明】
【技術分野】
【０００１】
本発明は、複写機、プリンタ、複合機等の画像処理装置（画像形成装置）及びその制御方法、並びにプログラムに関するものである。
【背景技術】
【０００２】
従来から、文書等を複写するための装置として、複写機が存在するが、従来の複写機では、著作権で保護されている著作物等や、複写されては不都合が生じる情報を含む書類等をも複写できてしまう問題があった。
【０００３】
この問題に対し、近年、地紋やバーコード等のパターン画像を画像データと共に印刷することで、複写を制限する、あるいは複写されたものであることがわかるようにすることを可能にする技術が浸透しつつある。
【０００４】
例えば、複写物にだけ「コピー禁止」等の文字が浮き出るような地紋や、認証情報やジョブ制限の種類等のデータを格納した地紋やバーコード等のパターン画像を、画像データと共に印刷する技術である。
【０００５】
ジョブ制限には、複写を禁止するコピーガードや、パスワード入力等の認証を経ることで複写を許可するものがある。
【０００６】
このように、セキュリティ意識の高まりとともに、複写を禁止したい文書には、地紋等の細かいパターンを紙面に印刷することで、複写したときにその文書が複写禁止の文書であることがわかる、または複写の動作自体を止めることができるようになってきている。
【０００７】
一方、紙媒体と表示媒体の長所を併せ持つ「電子ペーパー」の開発が進められ、紙の代わりに使用することが現実味を帯びてきている。その効果として、紙の消費を押さえ、森林の保全や焼却によるＣＯ２の排出抑制等、環境負荷を軽減できることが期待されている。
【０００８】
電子ペーパーを、上述の通り紙の代わりに使用する際には、紙と同様に、複写機で複写するユースケースが想定される。しかしながら、電子ペーパーの表示解像度は、紙に印刷するよりもはるかに粗く、地紋等の細かいパターンを適切に表示することができない。
【０００９】
このため、複写機で電子ペーパーが複写された場合、複写禁止の文書の複写を防ぐことができず、機密の漏洩を招いてしまうという問題があった。
【００１０】
このような問題に対し、地紋等の細かいパターンを表示する代わりに、電子ペーパーの記憶部に格納した情報に基づき、複写可否情報を取得して複写動作を行うか否かを判定させることが解決策のひとつとなる。
【００１１】
その解決策として、例えば、特許文献１には以下の技術が提案されている。
【００１２】
即ち、特許文献１には、電子ペーパーから複写可否情報を読み取り、それに基づいて複写機側で複写の処理を変更し、複写禁止だった場合は表示情報を読み取らない、または情報が読み取られない搬送パスに誘導する技術が示されている。
【先行技術文献】
【特許文献】
【００１３】
【特許文献１】特開２００５−０１２７０１号公報
【発明の概要】
【発明が解決しようとする課題】
【００１４】
しかしながら、上記従来の技術では、電子ペーパーに格納されたドキュメントを構成する各ページ毎にセキュリティ情報を設定できなかった。ドキュメントによっては、部分的にセキュリティをかけたい場合があり、全て一括して判定する従来技術では、この要望に応えることができない。
【００１５】
また、電子ペーパーに表示されたドキュメントを複写機で複写する際に、一括して判定すると、部分的にでも印刷したいという要望に応えることができない。
【００１６】
本発明の目的は、電子ペーパーに格納されたドキュメントのページ毎にセキュリティ情報を設定し、また、ページ毎に複写可否の判定を行うことができる画像処理装置を提供することにある。
【課題を解決するための手段】
【００１７】
上記目的を達成するために、請求項１記載の画像処理装置は、スキャナと、表示媒体と通信するためのインタフェースとを備える画像処理装置において、前記表示媒体に対して表示しているページのセキュリティ情報を要求する要求手段と、前記要求手段の要求により前記表示媒体から送信された前記セキュリティ情報を取得する取得手段と、前記取得手段により取得された前記セキュリティ情報に基づいて前記スキャナのスキャンの可否を判定する判定手段とを備え、前記表示媒体の複数のページを読み取る場合に、前記要求手段は、改ページを要求すると共に、新たに表示されたページのセキュリティ情報を要求し、前記判定手段は、前記新たに表示されたページのセキュリティ情報に基づいて前記スキャナのスキャンの可否を判定することを特徴とする。
【発明の効果】
【００１８】
本発明の画像処理装置によれば、電子ペーパーに格納されたドキュメントのページ毎にセキュリティ情報を設定し、また、ページ毎に複写可否の判定を行うことができる。
【図面の簡単な説明】
【００１９】
【図１】本発明の実施の形態に係る画像処理装置として用いられるＭＦＰ（マルチファンクションペリフェラル）１００のシステムブロック図である。
【図２】図１における電子ペーパー２００のシステムブロック図である。
【図３】電子ペーパー２００に表示された画像をＭＦＰ１００でスキャンする際に、ＭＦＰ１００と電子ペーパー２００の間で行われるやりとりの一例を示す概略図である。
【図４】図１のＭＦＰ１００によって実行される本発明の第１の実施の形態に係る電子ペーパー２００からの情報取得処理の手順を示すフローチャートである。
【図５】図１のＭＦＰ１００によって実行される本発明の第１の実施の形態に係る電子ペーパー２００への情報格納処理の手順を示すフローチャートである。
【図６】図５のステップＳ５０３において、ＭＦＰ１００がスキャンした画像に対してユーザーがセキュリティ設定を行う際の操作部１５０の画面表示例を示す図である（１）。
【図７】図５のステップＳ５０３において、ＭＦＰ１００がスキャンした画像に対してユーザーがセキュリティ設定を行う際の操作部１５０の画面表示例を示す図である（２）。
【図８】図５のステップＳ５０４において、電子ペーパー２００に格納されるセキュリティ情報の一例を示す図である。
【図９】図１のＭＦＰ１００によって実行される本発明の第２の実施の形態に係る電子ペーパー２００からの情報取得処理の手順を示すフローチャートである。
【図１０】図１のＭＦＰ１００によって実行される本発明の第２の実施の形態に係る電子ペーパー２００への情報格納処理の手順を示すフローチャートである。
【図１１】図１０のステップＳ１００７において、電子ペーパー２００に格納されるドキュメント情報の一例を示す図である。
【図１２】図１０のステップＳ１００８において、ＨＤＤ１１４に格納される電子ペーパー情報の一例を示す図である。
【図１３】図９のステップＳ９０３において、ＭＦＰ１００が電子ペーパー情報を取得する際に、ＭＦＰ１００が他のＭＦＰに電子ペーパー情報を要求する様子を模式的に示す図である。
【図１４】図９のステップＳ９０３において、ＭＦＰ１００が電子ペーパー情報を取得する際に、外部サーバに集約してある電子ペーパー情報を要求する様子を模式的に示す図である。
【図１５】図９のステップＳ９０４において、照合の結果該当するデータが存在しなかった場合のＭＦＰ１００の処理を模式的に示す図である。
【図１６】図４のステップＳ４０５及び図９のステップＳ９０６で実行されるスキャン処理の手順を示すフローチャートである。
【図１７】電子ペーパー２００に複数ページの画像が表示されている場合の、図４のステップＳ４０２、図９のステップＳ９０２及びステップＳ９０３の処理の様子を模式的に示す図である。
【図１８】図１におけるスキャナ１３０の構成図である。
【発明を実施するための形態】
【００２０】
以下、本発明を図面を参照しながら詳細に説明する。
【００２１】
図１は、本発明の実施の形態に係る画像処理装置として用いられるＭＦＰ（マルチファンクションペリフェラル）１００のシステムブロック図である。
【００２２】
図１において、制御部１１０は、画像入力デバイスであるスキャナ１３０や画像出力デバイスであるプリンタ１４０と接続されており、画像情報の入出力を制御する。また、一方で、制御部１１０は、ＬＡＮやＰＳＴＮ（公衆回線）に接続することが可能で、動画データまたは静止画データを含む画像情報や、デバイス情報等の入出力を制御する。
【００２３】
以下、制御部１１０の構成を説明する。
【００２４】
ＣＰＵ１１１は、ＭＦＰ１００の動作を制御するものであり、ＲＡＭ１１２に格納されたプログラムに基づいて動作する。ＲＡＭ１１２は、また、画像データを一時的に記憶するための画像メモリでもある。ＲＯＭ１１３は、ブートＲＯＭであり、システムのブートプログラムが格納されている。
【００２５】
ＨＤＤ（ハードディスクドライブ）１１４は、システムソフトウェア、画像データ、ＭＦＰ１００の動作を制御するためのプログラム等が格納されている。ＨＤＤ１１４に格納されたプログラムがＲＡＭ１１２にロードされ、ＣＰＵ１１１は、これに基づいてＭＦＰ１００の動作を制御する。フラッシュメモリがＨＤＤ１１４に代わってもよい。
【００２６】
操作部Ｉ／Ｆ１１５は、操作部１５０と制御部１１０を接続するインタフェースであり、操作部１５０に表示するための画像データを操作部１５０に出力する。また、操作部Ｉ／Ｆ１１５は、操作部１５０からユーザーが入力した情報をＣＰＵ１１１に伝達する。
【００２７】
ＬＡＮ  Ｉ／Ｆ１１６は、ＬＡＮに接続されて、各種情報の入出力を司る。電子ペーパーＩ／Ｆ１１７は、表示媒体として用いられる電子ペーパー２００と通信するためのインタフェースであり、表示しているページのセキュリティ情報をはじめとする各種情報の入出力を司る。本実施例における電子ペーパーＩ／ＦはＲＦＩＤであり、ＭＦＰ１００はＲＦＩＤを介して電子ペーパーと情報の入出力を行う。但し、電子ペーパーＩ／Ｆの種類はＲＦＩＤに限定されるものではない。例えばＩｒＤＡ等の無線通信であってもよい。メモリ１１８は、ＨＤＤ１１４と同様に静止画データやその他のデータを記憶する。
【００２８】
イメージバスＩ／Ｆ１１９は、イメージバスを介して画像データの高速な入出力を制御するためのインタフェースである。ＲＩＰ（ラスターイメージプロセッサ）部１２０は、ＬＡＮ及びＬＡＮ  Ｉ／Ｆ１１６を介して受信したＰＤＬ（ページ記述言語）をビットマップイメージに展開する。
【００２９】
デバイスＩ／Ｆ１２１は、画像入出力デバイスであるスキャナ１３０やプリンタ１４０と制御部１１０とを接続し、画像データの同期系／非同期系の変換を行う。スキャナ画像処理部１２２は、スキャナ１３０において原稿から読み取られた画像データに対して画像補正を行う。
【００３０】
プリンタ画像処理部１２３は、プリンタ１４０へ出力される画像データに対して画像補正を行う。画像変換処理部１２４は、ＲＡＭ１１２に記憶された画像データに対して画像変換を行う。具体的には、画像変換処理部１２４は、画像に対して回転処理、解像度変換処理等の処理を行う。また、画像変換処理部１２４は、２値画像を多値画像に変換したり、逆に多値画像を２値画像に変換する処理も行う。
【００３１】
本発明における、パターン画像の生成及び生成したパターン画像とスキャナ１３０から入力された入力画像との合成処理は、この画像変換処理部１２４で行われる。
【００３２】
図２は、図１における電子ペーパー２００のシステムブロック図である。
【００３３】
図２において、制御部２０１は、画像データの表示／非表示、改ページ、外部機器との情報のやりとり、表示する画像の展開等の制御を司る。記憶部２０２には、画像データ等のデータが格納される。記憶部２０２は、ＨＤＤでもよいし、フラッシュメモリでもよい。
【００３４】
本発明における、電子ペーパー２００に保存されるドキュメント情報は、この記憶部２０２に保存される。
【００３５】
表示部２０３は、制御部２０１が展開した画像データを表示する。外部機器Ｉ／Ｆ２０４は、ＭＦＰ１００やＰＣ等の外部機器と電子ペーパー２００とを接続するためのインタフェースであり、ここを通じて外部機器から電子ペーパー２００へ画像データを格納する。
【００３６】
ネットワークＩ／Ｆ２０５は、ＬＡＮをはじめとするネットワークと電子ペーパー２００とを接続するためのインタフェースである。ネットワークＩ／Ｆ２０５は、外部機器Ｉ／Ｆ２０４を兼ねてもよい。
【００３７】
操作部２０６は、ユーザーの入力を受け付けるユーザーインタフェースであり、表示部２０３に表示する画像データの、表示／非表示、改ページ等の指示を受け付ける。操作部２０６は、表示部２０３に画像として表示されてもよい。
【００３８】
図３は、電子ペーパー２００に表示された画像をＭＦＰ１００でスキャンする際に、ＭＦＰ１００と電子ペーパー２００の間で行われるやりとりの一例を示す概略図である。
【００３９】
図３において、ＭＦＰ１００は、スキャン開始時に、電子ペーパー２００に対して表示しているページのセキュリティ情報を要求し、電子ペーパー２００は、それに対してセキュリティ情報をＭＦＰ１００に送信する。
【００４０】
受信したセキュリティ情報に基づいて、ＣＰＵ１１１において、複写可と判定された場合に、ＭＦＰ１００のスキャナ１３０はスキャンを実行する。ＣＰＵ１１１において、複写不可と判定された場合には、ＭＦＰ１００のスキャナ１３０はスキャンを実行しない。
【００４１】
複数原稿を読み取る設定だった場合は、ＭＦＰ１００は、次ページの表示を要求し、併せて次ページのセキュリティ情報も要求する。電子ペーパー２００は、その要求に応じてセキュリティ情報をＭＦＰ１００に送信する。最終ページに至るまで上記処理を繰り返し、最終ページの処理が終了したら終了する。
【００４２】
図４は、図１のＭＦＰ１００によって実行される本発明の第１の実施の形態に係る電子ペーパー２００からの情報取得処理の手順を示すフローチャートである。
【００４３】
具体的には、図４は、電子ペーパー２００に表示された画像をＭＦＰ１００でスキャンする際の、ＭＦＰ１００における処理（ＭＦＰ１００におけるユーザーの操作を含む；以下のフローチャートも同様）の手順を示すフローチャートである。
【００４４】
ユーザーは、ステップＳ４０１において、電子ペーパー２００を原稿としてＭＦＰ１００にセットする。
【００４５】
ＭＦＰ１００のＣＰＵ１１１（以下、ＣＰＵ１１１は省略）は、ステップＳ４０２において、セキュリティ情報を電子ペーパー２００に対して要求して取得し、ステップＳ４０３において認証処理を行う。例えば、電子ペーパー２００から「パスワード認証」のセキュリティ情報を受信した場合、ＭＦＰ１００は、ユーザーに対してパスワードの入力を要求する。
【００４６】
ＭＦＰ１００は、ステップＳ４０４において、電子ペーパー２００から受信したセキュリティ情報に基づき、複写の可否を判定する。
【００４７】
ステップＳ４０４において複写可と判定された場合（ＹＥＳ）、ＭＦＰ１００は、ステップＳ４０５において、セットされた原稿をスキャンする。ステップＳ４０５におけるスキャン処理の詳細フローについては後述する。
【００４８】
ステップＳ４０４において複写不可と判定された場合（ＮＯ）、ＭＦＰ１００は、ステップＳ４０６において認証不可時処理を行う。認証不可時処理とは、例えば、「コピー禁止」等そのページが複写不可である旨のメッセージが記載されたページを生成する処理であってもよいし、あるいは、何も行わなくてもよい。
【００４９】
ＭＦＰ１００は、ステップＳ４０７において、ユーザーの指定した原稿の最終ページであるかどうかを判定する。
【００５０】
ステップＳ４０７において最終ページでないと判定された場合（ＮＯ）、ステップＳ４０８において、ＭＦＰ１００は、電子ペーパー２００に対して次ページ要求コマンドを送信し、ステップＳ４０２に戻る。
【００５１】
ステップＳ４０７において最終ページであると判定された場合（ＹＥＳ）、ＭＦＰ１００はスキャン処理を終了する。
【００５２】
図５は、図１のＭＦＰ１００によって実行される本発明の第１の実施の形態に係る電子ペーパー２００への情報格納処理の手順を示すフローチャートである。
【００５３】
具体的には、図５は、原稿をＭＦＰ１００でスキャンし、スキャンした画像及びそのセキュリティ情報を電子ペーパー２００に格納する際の、ＭＦＰ１００における処理の手順を示すフローチャートである。
【００５４】
ユーザーは、ステップＳ５０１において、原稿をＭＦＰ１００にセットする。
【００５５】
ステップＳ５０２において、ＭＦＰ１００は、セットされた原稿をスキャンする。
【００５６】
ステップＳ５０３において、ユーザーは、ＭＦＰ１００を通じて、スキャンした原稿の任意のページに対してセキュリティ設定を行う。
【００５７】
ステップＳ５０４において、ＭＦＰ１００は、スキャンした画像及び設定されたセキュリティ情報を電子ペーパー２００に格納する。
【００５８】
図６及び図７は、図５のステップＳ５０３において、ＭＦＰ１００がスキャンした画像に対してユーザーがセキュリティ設定を行う際の操作部１５０の画面表示例を示す図である。
【００５９】
図６の画面６００において、ユーザーは、セキュリティ設定を行いたい任意のページを選択する。この場合は、ページ６０１、６０２、６０５を選択し、ネクストボタン６０７を選択することで次の画面へ遷移する。キャンセルボタン６０６でセキュリティ設定をキャンセルすることもできる。
【００６０】
図７の画面７００において、ユーザーは、選択した各ページについて設定したいセキュリティレベルやパスワード情報等を設定する。
【００６１】
ユーザーは、メニュー７０１から任意のセキュリティレベルを設定し、必要に応じてフィールド７０２にパスワード等の情報を入力する。
【００６２】
キャンセルボタン７０３で、一連の設定をキャンセルすることもできる。バックボタン７０４で、前画面に戻ることができる。ネクストボタン７０５で、選択したページのうちの次のページの設定に移る。また、一括ボタン７０６で、選択した全てのページに対して同じ設定を適用することもできる。
【００６３】
図８は、図５のステップＳ５０４において、電子ペーパー２００に格納されるセキュリティ情報の一例を示す図である。
【００６４】
セキュリティ情報８００には、ドキュメントＩＤ、ページ番号、セキュリティレベル、認証情報が含まれる。
【００６５】
図９は、図１のＭＦＰ１００によって実行される本発明の第２の実施の形態に係る電子ペーパー２００からの情報取得処理の手順を示すフローチャートである。
【００６６】
ユーザーは、ステップＳ９０１において、電子ペーパー２００を原稿としてＭＦＰ１００にセットする。
【００６７】
ＭＦＰ１００は、ステップＳ９０２（ドキュメント情報取得手段）において、ドキュメント情報を電子ペーパー２００に対して要求して取得する。
【００６８】
また、ＭＦＰ１００は、ステップＳ９０３（セキュリティ情報取得手段）において、ＨＤＤ（自装置の記憶媒体）１１４に格納されている電子ペーパー情報（セキュリティ情報を含む）を取得する。
【００６９】
ステップＳ９０４において、ＭＦＰ１００は、取得したドキュメント情報とセキュリティ情報を照合し、認証処理を行う。例えば、照合の結果、パスワード認証が必要であると判定された場合、ＭＦＰ１００は、ユーザーに対してパスワードの入力を要求する。
【００７０】
ＭＦＰ１００は、ステップＳ９０５において、認証処理の結果に基づき、複写の可否を判定する。
【００７１】
ステップＳ９０５において複写可と判定された場合（ＹＥＳ）、ＭＦＰ１００は、ステップＳ９０６において、セットされた原稿をスキャンする。ステップＳ９０６におけるスキャン処理の詳細フローについては後述する。
【００７２】
ステップＳ９０５において複写不可と判定された場合（ＮＯ）、ＭＦＰ１００は、ステップＳ９０７において認証不可時処理を行う。認証不可時処理とは、例えば、「コピー禁止」等そのページが複写不可である旨のメッセージが記載されたページを生成する処理であってもよいし、あるいは、何も行わなくてもよい。
【００７３】
ＭＦＰ１００は、ステップＳ９０８において、ユーザーの指定した原稿の最終ページであるかどうかを判定する。
【００７４】
ステップＳ９０８において最終ページでないと判定された場合（ＮＯ）、ステップＳ９０９において、ＭＦＰ１００は、電子ペーパー２００に対して次ページ要求コマンドを送信し、ステップＳ９０２に戻る。
【００７５】
ステップＳ９０８において最終ページであると判定された場合（ＹＥＳ）、ＭＦＰ１００は、スキャン処理を終了する。
【００７６】
図１０は、図１のＭＦＰ１００によって実行される本発明の第２の実施の形態に係る電子ペーパー２００への情報格納処理の手順を示すフローチャートである。
【００７７】
具体的には、図１０は、原稿をＭＦＰ１００でスキャンし、スキャンした画像、ドキュメント情報、及びそのセキュリティ情報を、ＭＦＰ１００と電子ペーパー２００に格納する際の、ＭＦＰ１００における処理の手順を示すフローチャートである。
【００７８】
ユーザーは、ステップＳ１００１において、原稿をＭＦＰ１００にセットする。
【００７９】
ステップＳ１００２において、ＭＦＰ１００は、電子ペーパー２００から電子ペーパーを識別するための電子ペーパーＩＤを取得する。
【００８０】
ステップＳ１００３において、ＭＦＰ１００は、セットされた原稿をスキャンする。
【００８１】
ステップＳ１００４において、ユーザーは、ＭＦＰ１００を通じて、スキャンした原稿の任意のページに対してセキュリティ設定を行う。
【００８２】
ステップＳ１００５（セキュリティ情報生成手段）、ステップＳ１００６（ドキュメント情報生成手段）において、ＭＦＰ１００は、セキュリティ情報及びドキュメント情報を生成する。
【００８３】
ＭＦＰ１００は、ステップＳ１００７（第１の格納手段）において、スキャン完了時に、スキャンした画像及びドキュメント情報を電子ペーパー２００に格納する。
【００８４】
また、ＭＦＰ１００は、ステップＳ１００８（第２の格納手段）において、スキャン完了時に、ドキュメント情報とセキュリティ情報を含む電子ペーパー情報をＨＤＤ１１４に格納する。
【００８５】
図１１は、図１０のステップＳ１００７において、電子ペーパー２００に格納されるドキュメント情報の一例を示す図である。
【００８６】
ドキュメント情報１１００には、ドキュメントＩＤ、ページ番号が含まれる。
【００８７】
図１２は、図１０のステップＳ１００８において、ＨＤＤ１１４に格納される電子ペーパー情報の一例を示す図である。
【００８８】
電子ペーパー情報１２００には、電子ペーパーＩＤ、ドキュメントＩＤ、ページ番号、セキュリティレベル、認証情報が含まれる。
【００８９】
図１３は、図９のステップＳ９０３において、ＭＦＰ１００が電子ペーパー情報を取得する際に、ＭＦＰ１００が他のＭＦＰ（外部機器）に電子ペーパー情報を要求する様子を模式的に示す図である。
【００９０】
ＭＦＰ１００がＬＡＮ  Ｉ／Ｆ１１６を通じて他のＭＦＰと接続している場合、ＭＦＰ１００は、他のＭＦＰに対して電子ペーパー情報を要求することができる。ＭＦＰ１００は、他のＭＦＰから取得した電子ペーパー情報も含めて、図９のステップＳ９０４において認証処理を行うことができる。
【００９１】
図１４は、図９のステップＳ９０３において、ＭＦＰ１００が電子ペーパー情報を取得する際に、外部サーバに集約してある電子ペーパー情報を要求する様子を模式的に示す図である。
【００９２】
ＭＦＰ１００がＬＡＮ  Ｉ／Ｆ１１６を通じて外部サーバ（外部機器）と接続している場合、ＭＦＰ１００は、外部サーバに対して電子ペーパー情報を要求することができる。ＭＦＰ１００は、外部サーバから取得した電子ペーパー情報も含めて、図９のステップＳ９０４において認証処理を行うことができる。
【００９３】
図１５は、図９のステップＳ９０４において、照合の結果該当するデータが存在しなかった場合のＭＦＰ１００の処理を模式的に示す図である。
【００９４】
図９のステップＳ９０２で電子ペーパー２００から取得したドキュメント情報と、ステップＳ９０３で取得したセキュリティ情報の照合の結果、取得したドキュメント情報に対する電子ペーパー情報が存在しなかった場合、ＭＦＰ１００は、認証失敗と判定する。そして、複写不可と判定する。
【００９５】
図１６は、図４のステップＳ４０５及び図９のステップＳ９０６で実行されるスキャン処理の手順を示すフローチャートである。
【００９６】
ＭＦＰ１００は、ステップＳ１６０１において、セットされた原稿をスキャンする。
【００９７】
ＭＦＰ１００は、ステップＳ１６０２において、パターン画像を生成し、ステップＳ１６０３において、認証を経てスキャン可と判定された場合に、スキャン画像とパターン画像とを合成する。
【００９８】
ここで、セキュリティ情報が複数取得された場合に、そのうちのひとつを認証判定の判定結果として適用する。
【００９９】
ＭＦＰ１００は、ステップＳ１６０４において、合成した画像をＨＤＤ１１４に格納する。
【０１００】
図１７は、電子ペーパー２００に複数ページの画像が表示されている場合の、図４のステップＳ４０２、図９のステップＳ９０２及びステップＳ９０３の処理の様子を模式的に示す図である。
【０１０１】
電子ペーパー２００に複数ページの画像が表示されている場合、ＭＦＰ１００からの要求に対し、電子ペーパー２００は、表示されているページ数分のセキュリティ情報またはドキュメント情報を送信する。
【０１０２】
ＭＦＰ１００は、取得したセキュリティ情報またはドキュメント情報に対して、予め設定された、より厳しいセキュリティレベルで認証を行う。
【０１０３】
例えば、電子ペーパー２００に２ページの画像が表示されており、１ページ目は複写可、２ページ目は複写不可で設定されていた場合、ステップＳ４０４、ステップＳ９０５での判定は、複写不可となる。但し、複写不可のページを白紙にするという設定が予めされていた場合は、２ページ目を白紙として処理してもよい。
【０１０４】
図１８は、図１におけるスキャナ１３０の構成図である。
【０１０５】
原稿積載手段としての原稿トレイ１８０５を有し、原稿トレイ１８０５の面上に原稿を積載する。原稿搬送装置１８００の原稿給紙部では、繰り出し手段としての図示しない繰り出しローラにより、原稿トレイ１８０５上に積載された原稿束を分離ユニット１８０３へ引き込み、原稿束の最上紙を１枚ずつ分離し、搬送ローラ１８０４、１８０５へと搬送する。
【０１０６】
レジストローラ１８０６は、原稿先端の到着時には停止しており、搬送ローラ１８０４、１８０５による搬送で、原稿にループを形成して斜行補正をした後に、その原稿を原稿読取り部へ搬送する。
【０１０７】
原稿搬送装置１８００の原稿読取り部では、前述の原稿給紙部より搬送された原稿を、レジストローラ１８０６と読取りベルト１８０８によって、位置Ｒ１へ所定の速度で搬送していく。
【０１０８】
原稿の先端が読取位置Ｒ１に到達すると、読取位置Ｒ１で固定した光学ユニット１９０６で露光動作が行われて、原稿を搬送しながら読取り動作を行うことが可能で、この読取り方法を流し読取りモードと称する。
【０１０９】
一方、原稿の後端が読取位置Ｒ１に到達したときに原稿を停止させ、光学ユニット１９０６で露光しながら走査させることによって、光学ユニット１９０６を移動しながら読取り動作も行うことが可能で、この読取り方法を固定読取りモードと称する。
【０１１０】
原稿の読取りが終了すると、原稿は、読取りベルト１８０８で原稿排紙部へ搬送される。原稿排紙部では、原稿を排紙ローラ１８０９で排紙トレイ１８１０へ排出する。
【０１１１】
図１８において、Ｓ１〜Ｓ６は、各種センサで原稿搬送装置１８００内に配置されている。原稿トレイ１８０５上で長さを検知するラージサイズ検知センサＳ１、スモールサイズ検知センサＳ２及び、原稿幅ガイド１８０７内に設けた図示しない幅検知ボリュームＶＲ１及び幅検知センサＳ３が設けてある。
【０１１２】
同様に、原稿の先端及び後端を検知することにより、分離給送の原稿を検知すると同時に原稿長さを計測するサイズセンサＳ４、原稿の先端を検知して読取信号を知らせるリードセンサＳ５、排紙センサＳ６が設けてある。また、原稿が原稿トレイ１８０５上にセットされているかを判別する原稿セットセンサも設けてある。
【０１１３】
イメージリーダ１９００内には、原稿搬送装置１８００の開閉角度を検知する開閉検知センサＳ８、Ｓ９が配置されている。原稿台ガラス１９０５上にユーザーによって原稿が置かれた場合に、この開閉検知センサＳ８、Ｓ９と図示しないサイズセンサ及び露光動作によって置かれた原稿のサイズを特定する。
【０１１４】
ユーザーによって原稿が原稿台ガラス１９０５上に置かれた場合には、固定読取りモード同様に光学ユニット１９０６で露光しながら走査させることによって、光学ユニット１９０６を移動しながら読取りを行う。この方法は周知の技術であり、詳細な説明は割愛する。
【０１１５】
また、原稿搬送装置１８００の原稿トレイ１８０５の下及びイメージリーダ１９００の原稿台ガラス１９０５の端部には、電子ペーパー２００を検出するための電子ペーパー検出部１８０１、１９０２を有している。また、原稿台ガラス１９０５の端部には、電子ペーパー２００上の画像情報の切替えを行うページ切替え部１９０３を有している。
【０１１６】
（他の実施の形態）
本発明は、以下の処理を実行することによっても実現される。即ち、上述した実施の形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【０１１７】
１００  ＭＦＰ
１１０  制御部
１３０  スキャナ
１４０  プリンタ
１５０  操作部
２００  電子ペーパー
【図１】
2010288187.tif 000003
【図２】
2010288187.tif 000004
【図３】
2010288187.tif 000005
【図４】
2010288187.tif 000006
【図５】
2010288187.tif 000007
【図６】
2010288187.tif 000008
【図７】
2010288187.tif 000009
【図８】
2010288187.tif 000010
【図９】
2010288187.tif 000011
【図１０】
2010288187.tif 000012
【図１１】
2010288187.tif 000013
【図１２】
2010288187.tif 000014
【図１３】
2010288187.tif 000015
【図１４】
2010288187.tif 000016
【図１５】
2010288187.tif 000017
【図１６】
2010288187.tif 000018
【図１７】
2010288187.tif 000019
【図１８】
2010288187.tif 000020